(57)【要約】【課題】脚を折りたたんで支杆頂部が通過路の内端に移動した場合に確実にロックし、折りたたみ時の脚の安定性を良好にし運搬しやすくする。【解決手段】天板２４の裏面に細長板８で通過路９を形成し、通過路９内で支杆頂部２を摺動させて脚を起倒自在に設ける。通過路９の内端に受部１０ａを形成する。薄板製の係止板３ａを排除斜縁５ａとこれに連なる係止斜縁６ａからなる弧状山型に形成する。係止板３ａの下方からハンドルレバー２３ａを延出し、その端部２３′を係止板３ａと同方向に膨出する。通過路９の下方に取付けた回動軸４ａに係止板３ａの前方を回動自在に設ける。コイルバネ７により係止板３ａを常時は通過路９内に突出させるとともに脚折りたたみ時には係止斜縁６ａを介して支杆頂部２を受部１０ａ側に位置させて端部２３′を天板２４側に押圧する。ハンドルレバー２３ａの引下げ時には係止板３ａを通過路９から排除自在にする。【選択図】　　　　図２
2004089649.tif 000002
【特許請求の範囲】
【請求項１】
天板の裏面に脚を回動自在に設け、前記脚の途中に支杆先端を回動自在に設け、前記天板の裏面に細長板で通過路を形成し、前記通過路内で支杆頂部を摺動させて前記脚を起倒自在に設け、前記通過路の内端に受部を形成し、また薄板製の係止板を排除斜縁およびこれに連なる係止斜縁からなる弧状山型に形成し、前記係止板の下方からハンドルレバーを一体的に延出し、しかもハンドルレバーの端部を前記係止板と同方向に膨出し、前記通過路の下方に取付けた回動軸に前記係止板の前方を回動自在に設け、コイルバネにより前記係止板を常時は前記通過路内に突出させ、しかも前記コイルバネにより脚折りたたみ時には前記係止斜縁を介して前記支杆頂部を前記内端の受部側に位置させるとともに前記ハンドルレバーの膨出端部を前記天板側に押圧し、前記ハンドルレバーの引下げ時には前記係止板を前記通過路から排除自在にすることを特徴とする家具用折りたたみ脚のロック装置。
【発明の詳細な説明】
【０００１】
【発明の属する技術分野】
本発明は支杆頂部の摺動により脚を起倒する家具用折りたたみ脚のロック装置に関するものである。
【０００２】
【従来の技術】
従来から図４、５に示す家具用折りたたみ脚のロック装置が実公昭６１−３２５０７号公報により知られている。なお前記図４・５の図番、符号は本発明の説明の便宜上、前記従来公報とは変えてある。この従来例は本願出願人によるものであり、天板３５の裏面に細長板３０を取付けて通過路３１を形成し、また弧状山型で、かつ薄板製の係止板３２の後方にハンドルレバー３３を一体的に形成し、通過路３１外に取付けた回動軸４２に係止板３２の前方を回動自在に設け、コイルバネ３４により係止板３２を常時は通過路３１の上方まで突出させ、係止斜縁３２′を介して支杆頂部３６を外端の受部３７側に押付けるとともにハンドルレバー３３の膨出端部３３′を天板３５側に押圧して脚３８の起立を保持する。またハンドルレバー３３を引下げ、図５の仮想線で示すように係止板３２全体を通過路３１内から排除し、握持した脚３８を回動して支杆頂部３６を仮想線で示すように通過路３１内で前方に摺動させる。そして内端の受部３９の近傍に固定し、かつ頭部４０を通過路３１内に臨ませた合成樹脂からなる当たり止め４１の頭部４０を支杆頂部３６で押圧した後、受部３９に係止させ、脚３８を折りたたむようにしたものである。
【０００３】
通常この従来例によると、脚３８を折りたたんだ状態で運搬することが多いが、経年使用等により合成樹脂製の当たり止め４１の頭部４０が摩耗し、当たり止め４１のストッパーとしての機能が低下し、支杆頂部３６が頭部４０を乗り越えて後進し、脚３８が不安定でふらつき、取扱いにくかった。特にコ字状の脚３８の回動をスムーズにするため受具４３、４３を合成樹脂で形成した場合、前記運搬時におけるふらつきが大きくなり、より取扱いにくいという欠点を有していた。
【０００４】
【発明が解決しようとする課題】
本発明は脚を折りたたんで支杆頂部が通過路の内端に移動した場合にストッパーとしての機能が低下することがなく、支杆頂部を確実にロックし、折りたたみ時における支杆頂部ひいては脚の安定性を良好にし、運搬時における取扱いをしやすくすることを課題とする。
【０００５】
【課題を解決するための手段】
本発明は天板の裏面に脚を回動自在に設け、前記脚の途中に支杆先端を回動自在に設け、前記天板の裏面に細長板で通過路を形成し、前記通過路内で支杆頂部を摺動させて前記脚を起倒自在に設け、前記通過路の内端に受部を形成し、また薄板製の係止板を排除斜縁およびこれに連なる係止斜縁からなる弧状山型に形成し、前記係止板の下方からハンドルレバーを一体的に延出し、しかもハンドルレバーの端部を前記係止板と同方向に膨出し、前記通過路の下方に取付けた回動軸に前記係止板の前方を回動自在に設け、コイルバネにより前記係止板を常時は前記通過路内に突出させ、しかも前記コイルバネにより脚折りたたみ時には前記係止斜縁を介して前記支杆頂部を前記内端の受部側に位置させるとともに前記ハンドルレバーの膨出端部を前記天板側に押圧し、前記ハンドルレバーの引下げ時には前記係止板を前記通過路から排除自在にすることを特徴とするものである。
【０００６】
このため脚を握持して折りたたみ方向に回動すると、支杆頂部が、常時はバネ圧により通過路内に突出している係止板の排除斜縁を押圧していき、図２の仮想線で示すように係止板を通過路外に排除する。支杆頂部が内端の受部側に位置するとコイルバネの復元力により係止板は実線位置に復帰し、しかもハンドルレバーの膨出端部が天板側に押付けられ、支杆頂部は係止板の係止斜縁を介して安定良く停止し、ここに脚の安定性が保持される。なお脚を起立する場合は、ハンドルレバーをつかんで仮想線位置にして係止板を通過路から排除し、脚を起立方向に回動すれば支杆頂部が通過路内を後方に摺動し、また支杆頂部の摺動後はバネ圧により係止板およびハンドルレバーは実線位置に復帰する。
【０００７】
【発明の実施の形態】
鉄板製で、かつ溝８′状底面および長手方向への段付両側板８ａ、８ａを有する細長板８の両端を上方に折り曲げて支杆頂部２の通過路９および支杆頂部２の内端の受部１０ａ、外端の受部１１ａを形成し、また受部１０ａ、１１ａの直前に細長孔を切欠いて係止板挿通孔１３を形成するとともにこの係止板挿通孔１３の両側へ凹陥部を設けて軸受１４、１４を形成し、さらに回動軸４ａ、４ｂを巻装固着するとともに係止板挿通溝１５を有する鉄板１６、１６を受部１０ａ、１１ａに添接かつ固着し、各鉄板１６をさらに内方に折り曲げかつ延長して水平状の取付部１７、１７を形成し、回動軸４ａ、４ｂを鉄板１６の巻装部１６′とともに軸受１４、１４に固定し、一方薄板状鉄板をもって形成した係止板３ａ、３ｂの前方位置に回動軸４ａ、４ｂへの挿通孔１９を穿ち、この係止板３ａ、３ｂの形状を、図示のように凸弧状の排除斜縁５ａ、５ｂおよびこれに連なる凸弧状の係止斜縁６ａ、６ｂとを有する山型に形成し、この係止板３ａ、３ｂの底部にバネ端係止部２０を設け、しかも後方に指孔２１を穿つとともにゴムカバー２２を被覆した輪状の膨出端部２３′を有するハンドルレバー２３ａ、２３ｂを係止板３ａ、３ｂの下方かつ後方に一体的に形成し、前記膨出端部２３′を係止板３ａ、３ｂと同方向に向け、挿通孔１９を回動軸４ａ、４ｂに回動自在に外挿してこの係止板３ａ、３ｂを受部１０ａ、１１ａの直前に位置する係止板挿通孔１３、係止板挿通溝１５から通過路９内に挿入し、また回動軸４ａ、４ｂにそれぞれコイルバネ７を巻装し、図２、３で示すようにこのコイルバネ７の一端を細長板８の溝壁８″に挿入かつ係止し、他端をバネ端係止部２０に係止し、このコイルバネ７の弾力により係止板３ａ、３ｂを常時、通過路９内に突出させ、各コイルバネ７の弾力により係止斜縁６ｂ、６ａを介して、脚１起倒時に存在する支杆頂部２を受部１１ａ、１０ａ側に位置させ、しかも各コイルバネ７の弾力によりハンドルレバー２３ａ、２３ｂの膨出端部２３′をテーブルの天板２４裏面側へ押圧するものである。一方、天板２４裏面の略両端に１対のコ字状の脚１、１を合成樹脂製の受具２７、２７により回動自在に取付け、各八字状の支杆２′の先端２″、２″を脚１の中途に回動自在に取付け、細長板８の幅と略等しい幅に形成したコ字状の支杆頂部２を通過路９に摺動自在に置き、本ロック装置を１対、木ネジ２８、２８で天板２４裏面に固定するものである。
【０００８】
次に本発明の実施の形態の使用法および作用を説明すれば、まず図１右側に示すように折りたたまれている脚１を起立するには、指孔２１に指を掛け、ハンドルレバー２３ａを図１における時計方向（図２における反時計方向）へ回動させる。ここに係止板３ａは図２鎖線で示すようにコイルバネ７の弾性に抗して反時計方向に回動し、通過路９から排除される。
【０００９】
そこで図１に示す脚１を握持し、矢印方向に回動すれば、支杆頂部２は、通過路９内を図２で示す右方向に摺動する。なお、支杆頂部２の通過後にハンドルレバー２３ａを離せば、係止板３ａはバネ圧により図２鎖線状態から実線状態へ直ちに戻るものである。続いて摺動した支杆頂部２は通過路９内に突出している係止板３ｂの排除斜縁５ｂを押し倒して行き、係止板３ｂを通過路９内から排除する。つまり係止板３ｂはコイルバネ７の弾性に抗して回動軸４ｂを中心に図２における時計方向に回動され、通過路９より没するものである。次に支杆頂部２が係止板３ｂを通過すると収縮状態のコイルバネ７が復元しはじめ、係止板３ｂは回動軸４ｂを中心に反時計方向に自動的に回動し、係止板３ｂは再び通過路９内に突出し、ここに支杆頂部２は受部１１ａ側に位置し、その前周面は係止斜縁６ｂにより阻止されるとともにハンドルレバー２３の膨出端部２３′がコイルバネ７により天板２４に押付けられ、脚１は図１左側に示すように起立するものである。次に脚１を折りたたむには、指孔２１に指を掛け、ハンドルレバー２３ｂを図１における時計方向に回動させる。ここに係止板３ｂはコイルバネ７の弾性に抗して図２における時計方向に回動し、通過路９から没する。そこで脚１を前方に回動伏倒させれば、支杆頂部２は通過路９内を摺動し、通過路９内に突出している係止板３ａの排除斜縁５ａを押し倒して行き、図２鎖線で示すように係止板３ａを通過路９内から排除する。つまり係止板３ａはコイルバネ７の弾性に抗して回動軸４ａを中心に図２における反時計方向に回動され、通過路９より没するものである。次に支杆頂部２が係止板３ａを通過すると収縮状態のコイルバネ７が伸長しはじめ、係止板３ａは回動軸４ａを中心に時計方向に自動的に回動し、図２の実線で示すように係止板３ａは再び通過路９内に突出し、ここに支杆頂部２はその前部を受部１０ａ側に位置し、その後部を係止斜縁６ａにより阻止されるとともにハンドルレバー２３ａの膨出端部２３′がコイルバネ７により天板２４に押付けられ、脚１は、伏倒し、支杆頂部２は確実にロックされるものである。
【００１０】
【発明の効果】
本発明によれば、脚を折りたたんで支杆頂部が通過路の内端に移動した場合に支杆頂部の安定性が良好となり、ひいては脚を安定良く伏倒させることができ、運搬時の取扱いがしやすくなるものである。
【図面の簡単な説明】
【図１】本発明の実施の形態を示す斜視図である。
【図２】同上の要部を示す一部切欠側面図である。
【図３】同上の底面図である。
【図４】従来例の斜視図である。
【図５】従来例の要部を示す断面図である。
【符号の説明】
１　　脚
２　　支杆頂部
２″　支杆先端
３ａ　係止板
４ａ　回動軸
５ａ　排除斜縁
６ａ　係止斜縁
７　　コイルバネ
８　　細長板
９　　通過路
１０ａ　受部
２３′　膨出端部
２３ａ　ハンドルレバー
２４　　天板
【図１】
2004089649.tif 000003
【図２】
2004089649.tif 000004
【図３】
2004089649.tif 000005
【図４】
2004089649.tif 000006
【図５】
2004089649.tif 000007